(57)【要約】【課題】地すべり斜面内における地下水の排水工法において、地すべり斜面内における水みちと排水管を連通させ、確実に地下水位を低下させる。【解決手段】地すべり対策工における排水用横孔の施工方法において、掘削装置２０により地山の地表面から排水用横孔４０を掘削する工程と、排水用横孔４０の所定範囲が裸孔となるように排水用横孔保護部材５０を配設する工程と、排水用横孔４０の裸孔部分から圧力水を一定時間注入し、裸孔と地山内の地下水脈６０とを連通させる工程と、排水用横孔４０に排水用ドレン７０を配設する工程と、を実行することを特徴とする排水用横孔の施工方法である。【選択図】図４
2009002089.tif 000002
【特許請求の範囲】
【請求項１】
地すべり対策工における排水用横孔の施工方法において、
掘削装置により地山の地表面から排水用横孔を掘削する工程と、
前記排水用横孔の所定範囲が裸孔となるように排水用横孔保護部材を配設する工程と、
前記排水用横孔の裸孔部分から圧力水を一定時間注入し、前記裸孔と前記地山内の地下水脈とを連通させる工程と、
前記排水用横孔に排水用ドレンを配設する工程と、を実行することを特徴とする排水用横孔の施工方法。
【請求項２】
地すべり対策工における排水用横孔の施工方法において、
掘削装置により地山の地表面から排水用横孔を掘削する工程と、
前記排水用横孔の所定範囲が裸孔となるように止水部材を配設する工程と、
前記排水用横孔の裸孔部分から圧力水を一定時間注入し、前記裸孔と前記地山内の地下水脈とを連通させる工程と、
前記排水用横孔に排水用ドレンを配設する工程と、を実行することを特徴とする排水用横孔の施工方法。
【請求項３】
地すべり対策工における排水用横孔の施工方法において、
掘削装置により地山の地表面から排水用横孔を掘削する工程と、
前記排水用横孔の所定範囲が裸孔となるように排水用横孔保護部材を配設する工程と、
前記排水用横孔の裸孔部分から圧力水を一定時間注入し、前記裸孔と前記地山内の地下水脈とを連通させる工程とを繰り返し実行し、
前記裸孔と前記地山内の地下水脈との連通部分が地山内の滑り面を越える位置に到達した後、
前記排水用横孔に排水用ドレンを配設する工程と、を実行することを特徴とする排水用横孔の施工方法。
【請求項４】
地すべり対策工における排水用横孔の施工方法において、
掘削装置により地山の地表面から排水用横孔を掘削する工程と、
前記排水用横孔の所定範囲が裸孔となるように止水部材を配設する工程と、
前記排水用横孔の裸孔部分から圧力水を一定時間注入し、前記裸孔と前記地山内の地下水脈とを連通させる工程とを繰り返し実行し、
前記裸孔と前記地山内の地下水脈との連通部分が地山内の滑り面を越える位置に到達した後、
前記排水用横孔に排水用ドレンを配設する工程と、を実行することを特徴とする排水用横孔の施工方法。
【請求項５】
前記圧力水は、前記排水用横孔の軸線に対して少なくとも放射方向に注入されることを特徴とする請求項１から４のうちのいずれか一項に記載の排水用横孔の施工方法。
【請求項６】
前記圧力水の注入圧力は０．１ＭＰａ〜１．０ＭＰａであることを特徴とする請求項１〜５のうちのいずれか一項に記載の排水用横孔の施工方法。
【発明の詳細な説明】
【技術分野】
【０００１】
本発明は傾斜地やトンネル内などにおいて、確実に地下水を排水することが可能な排水用横孔の施工方法に関する。
【背景技術】
【０００２】
地すべり対策や急傾斜地における斜面安定対策として、地表面、集水井またはトンネル内から排水用横孔を掘削し、排水ドレンを配設する地下水排除工が実施されている。このような地下水排除工との一例として、特許文献１のようなものがある。
【０００３】
特許文献１記載の地下水排除工法は、地すべり面内を横断するように配設された透水性の良い壁体を用いて地滑り区域内の地下水を集水し、壁体に連通して設けた排水管を経て地すべり区域の外へ排出するものである。これにより、従来のように排水管のような点による集水ではなく、壁体の面による集水であるため、集水効率が向上し、効率的な排水が可能になるものとされている。
【特許文献１】特開２００６−１３２３１２号公報
【発明の開示】
【発明が解決しようとする課題】
【０００４】
特許文献１に記載されている地下水の排水工法においては、配水管による集水よりも集水面積が増加しているため、降雨時等において斜面内における地下水位が上昇したような状態においては、非常に効率的な排水が可能なため好適である。しかしながら、壁体の配設位置が地すべり斜面内の水みち（地下水脈）を横断するように配設されていなければ、通常時における斜面内の地下水の排水がなされないため、効率的な地下水の排水ができなくなるおそれがあるといった課題がある。
【０００５】
本発明は、地すべり斜面内における地下水の排水工法において、地すべり斜面内における水みちと排水管を確実に連通させることにより、地下水排除が十分できない場合も地下水流動状体（条件）を改善して、常に斜面内の地下水を有効に排出することが可能な排水用横孔の施工方法の提案を目的としている。
【課題を解決するための手段】
【０００６】
本発明は、地すべり対策工における排水用横孔の施工方法において、掘削装置により地山の地表面から排水用横孔を掘削する工程と、前記排水用横孔の所定範囲が裸孔となるように排水用横孔保護部材を配設する工程と、前記排水用横孔の裸孔部分から圧力水を一定時間注入し、前記裸孔と前記地山内の地下水脈とを連通させる工程と、前記排水用横孔に排水用ドレンを配設する工程と、を実行することを特徴とする排水用横孔の施工方法である。
【０００７】
また、本発明は、地すべり対策工における排水用横孔の施工方法において、掘削装置により地山の地表面から排水用横孔を掘削する工程と、前記排水用横孔の所定範囲が裸孔となるように止水部材を配設する工程と、前記排水用横孔の裸孔部分から圧力水を一定時間注入し、前記裸孔と前記地山内の地下水脈とを連通させる工程と、前記排水用横孔に排水用ドレンを配設する工程と、を実行することを特徴とする排水用横孔の施工方法である。
【０００８】
また、本発明は、地すべり対策工における排水用横孔の施工方法において、掘削装置により地山の地表面から排水用横孔を掘削する工程と、前記排水用横孔の所定範囲が裸孔となるように排水用横孔保護部材を配設する工程と、前記排水用横孔の裸孔部分から圧力水を一定時間注入し、前記裸孔と前記地山内の地下水脈とを連通させる工程とを繰り返し実行し、前記裸孔と前記地山内の地下水脈との連通部分が地山内の滑り面を越える位置に到達した後、前記排水用横孔に排水用ドレンを配設する工程と、を実行することを特徴とする排水用横孔の施工方法である。
【０００９】
また、本発明は、地すべり対策工における排水用横孔の施工方法において、掘削装置により地山の地表面から排水用横孔を掘削する工程と、前記排水用横孔の所定範囲が裸孔となるように止水部材を配設する工程と、前記排水用横孔の裸孔部分から圧力水を一定時間注入し、前記裸孔と前記地山内の地下水脈とを連通させる工程とを繰り返し実行し、前記裸孔と前記地山内の地下水脈との連通部分が地山内の滑り面を越える位置に到達した後、前記排水用横孔に排水用ドレンを配設する工程と、を実行することを特徴とする排水用横孔の施工方法である。
【００１０】
また、前記圧力水は、前記排水用横孔の軸線に対して少なくとも放射方向に注入されることを特徴とする。これにより、排水用横孔の配設位置が斜面内の水みち（地下水脈）の位置から離反していたとしても、水みちの拡大・生成により確実に斜面内の水みちに連通させることが可能になる。
【００１１】
また、前記圧力水の注入圧力は０．１ＭＰａ〜１．０ＭＰａであることを特徴とする。これにより、斜面内の水路との連通が確実になされると共に、経済的な施工が可能になるため好都合である。
【発明の効果】
【００１２】
本発明に係る排水用横孔の施工方法によれば、地すべり区域における斜面内の地下水の水みち（地下水脈）と配水管を連通させることができるため、降雨による地下水位の上昇等といった外的要因にかかわらず、常時地すべり区域内の地下水を外部に排出することができる。
また、従来技術においても使用されていた施工機械を簡単に適用することができるため、新たな設備投資が不要であり安価な施工が可能になる。
【発明を実施するための最良の形態】
【００１３】
（実施形態１）
以下、添付図面に基づいて実施形態１について説明する。図１は実施形態１における排水用横孔の施工範囲を示す平面図である。図２〜図５は、実施形態１における排水用横孔の施工手順を示す説明断面図である。
図１に示すように、排水用横孔４０を施工する平面領域内におけるほぼ中央部分であり、排水用横孔４０どうしの中間となる位置に水位観測井１０を掘削する。水位観測井１０の掘削は通常の掘削装置であるボーリングマシン２０によりおこなわれる。ボーリングマシン２０の機種は特に限定されるものではないが、一般には、ロータリー油圧式やロータリーパーカッション油圧式のものが用いられ、図示しない泥水ポンプで送水しながら行われる。泥水ポンプでの送水を行うことで、切羽部を安定させると共に、掘削土の排出および掘削具であるビット（図示せず）の冷却がなされるため、円滑な掘削が可能になる。
【００１４】
水位観測井１０の掘削が完了した後、図２に示すように傾斜面の所定位置に足場３０を組み立てると共に、排水用横孔４０を掘削するためのボーリングマシン２０と圧力水注入装置２２を据え付ける。水位観測井１０を掘削した際にはボーリングマシン２０を鉛直方向に設置したが、排水用横孔４０を掘削する際には、ボーリングマシン２０を横向きに設置するだけでよく、水位観測井１０の掘削に用いたボーリングマシン２０を用いることができる。足場３０にボーリングマシン２０の据付が完了した後、傾斜面の表面から排水用横孔４０の掘削を開始する。排水用横孔４０は、仰角θが５度〜１０度となるように掘削される。排水用横孔４０の掘削もまた図示しない泥水ポンプで送水しながら行われる。泥水ポンプによる送水の目的は水位観測井１０の掘削時と同様である。
【００１５】
排水用横孔４０の掘削長さが所定の長さに到達した時点で、掘削具である図示しないビットを排水用横孔４０から一旦抜き取る。この後、図３に示すように排水用横孔４０の傾斜面側から排水用横孔保護部材であるケーシングパイプ５０を配設する。排水用横孔４０に挿入されるケーシングパイプ５０は、排水用横孔４０の掘削長さより短いものが用いられる。ケーシングパイプ５０の一端部は、傾斜面の表面位置となるように配設される。このようにしてケーシングパイプ５０が配設された排水用横孔４０は、先端部分（切羽側）が所定範囲にわたって裸孔部分となる。
【００１６】
ケーシングパイプ５０の配設が完了した後、図４に示すように圧力水注入装置２２に中空部材からなるロッド５４を接続し、圧力注入装置２２を作動させて、裸孔部分に圧力水を注入する。ケーシングパイプ５０は、地山と密着した状態で配設されていると共に、ロッド５４とは図示しない接続具により水密に接続されているので、圧力水注入装置２２から供給された圧力水はケーシングパイプ５０を通過した後、裸孔部分で基盤（地山）９０に注入されることになる。圧力水注入装置２２としては、泥水ポンプを用いることができる。
本実施の形態における圧力水注入装置２２は排水用横孔４０の軸線に対して、放射方向と軸線の延長方向に圧力水を注入するものであり、圧力水の注入は、０．１ＭＰａ〜１ＭＰａ程度の圧力で数分間〜数十分間継続しておこなわれる。また、圧力水注入装置２２から注入される水量は一分間当たり１０〜６０リットル程度である。
【００１７】
所定の圧力による圧力水を地すべり区域の地中部で所定時間にわたって注入することにより、排水用横孔４０の一部区間とその周辺に存在する地すべり区域内の地下水脈である既存の水みちの流動性が拡大すると共に、既存の水みちと圧力水注入により生成された新たな水みちが連通することになる。排水用横孔４０の一部区間と水みち６０との連通は水位観測井１０の水位変化を計測することにより判断することができる。より詳細には、圧力水注入装置２２から注入された水が排水用横孔４０と水みち６０を経由した後に、水位観測井１０に連結され、水位観測井１０の地下水は水みちを通して排水され地下水位低下を確認することができれば、排水用横孔４０と地すべり区域内に存在する水みち６０およびクラックとが確実に連通したと判断することができる。
【００１８】
排水用横孔４０と水みち６０との連通が確認された後、圧力水注入装置２２の圧力水の注入を停止する。排水用横孔４０が地すべり面８０の位置を越え、基盤９０に５〜１０ｍ入り込む位置となるまで、図２〜図４に示すボーリングマシン２０による掘削、ケーシングパイプ５０およびロッド５４の挿入、圧力水注入装置２２による圧力水の注入、圧力水による排水用横孔４０と水みち６０との連通作業を繰り返し行う。
以上の作業を繰り返し、排水用横孔４０の延長が地すべり面８０を越えて、基盤９０側に５ｍ〜１０ｍ進入した位置に到達した後、ケーシングパイプ５０内に排水用ドレン７０を挿通する。そして、ケーシングパイプ５０およびロッド５４を取り出した後に、孔口保護工（図示せず）と集水枡７２を設けて排水用横孔４０の施工が完了する（図５）。図１に示すように、排水用横孔４０の施工範囲は地すべり区域において扇形状に配設されるため、それぞれの排水用横孔４０において以上に説明した施工方法と同様に施工することができる。
【００１９】
他ブロックの排水用横孔４０の圧力水の注入区間、圧力、注入量については、水位観測井１０を用いて実施した注入方法に準じて行えば高品質の地下水排除がなされることになる。
【００２０】
（実施形態２）
本実施の形態においては、排水用横孔４０の裸孔部分の他の形成方法について説明する。本実施の形態は、排水用横孔４０の中途部の１箇所以上に止水部材であるパッカーを配設することを特徴としている。排水用横孔４０の任意の位置に配設したパッカーを拡張させ、地表面側のパッカーよりも基盤９０側において排水用横孔４０内で圧力水注入装置２２により圧力水を注入することにより、排水用横孔４０の先端部分のみ、または排水用横孔４０の中途部における一部区間のみに圧力水を注入させることが可能になる。
【００２１】
排水用横孔４０と地下水脈である水みち６０および圧力水注入による新たな水みち６０との連通の確認方法は先の実施形態を適用することができる。排水用横孔４０と地下水脈である水みち６０との連通が確認できたら、圧力水の注入を停止し、パッカーを撤去する。また、必要に応じて排水用横孔４０を延長し、排水用横孔４０の所定位置において再びパッカーを用いた圧力水の注入を行い、排水用横孔４０と地下水脈との連通をとる処理を繰り返し実行しても良い。地表面側の排水用横孔４０の孔壁の保護が必要な場合には排水用横孔保護部材であるケーシングパイプ５０を適宜配設しても良いのはもちろんである。
【００２２】
（実施例）
具体的な実施例について説明する。図６は、実施例における排水用横孔の配設状態を示す説明平面図である。図７は、実施例における排水用横孔の状態を示す説明断面図である。図８は、実施例の施工中における水位観測井の水位計測結果である。図９は、実施例において採用した圧力水注入状態を示す説明断面図である。本実施例においては、排水用横孔４０にケーシングパイプにより止水し、先端部分を裸孔として圧力注入区間として、圧力水注入を行った。
【００２３】
本実施例における排水用横孔４０は、図７に示すように、地すべり区域内において複数段にわたって配設されている点が特徴である。地すべり対策として複数段にわたって排水用横孔を配設する場合には、地下水位を徐々に低減させるように、上段側から下段側に向かって施工が行われる。水位観測井は排水用横孔の施工前に施工するのは実施形態１と同様である。
【００２４】
本実施例における水位観測井の深度は地表面から２０ｍである。排水用横孔４０の施工前における水位観測井の水位は、５月２４日から５月２６日の３日間で２．８１ｍ〜２．９５ｍ（図８）である。
上段の排水用横孔（Ｂ−２群）のボーリング作業は５月２９日に行った。作業開始前の水位観測井１０の水位は２．９７ｍであった。上段の排水用横孔（Ｂ−２群）は、φ８５ｍｍのケーシングパイプを１２ｍ延長で建て込み止水した。ケーシングパイプの前方部分は５ｍにわたってφ６６ｍｍのビットにより掘削を行った。掘削作業後における水位観測井の水位は２．９４ｍであった。
【００２５】
翌日の５月３０日に上段側排水用横孔（Ｂ−２群）において圧力水の注入作業を行った。作業開始前における水位観測井の水位は、３．１０ｍであった。前日の計測水位よりも０．１３ｍ水位が低下しているのは、通常ボーリングで形成した上段側排水用横孔（Ｂ−２群）による排水の影響と考えられる。
圧力水の注入は、ケーシングパイプの前方部分の５ｍの区間で行った。圧力水の注入条件は、注入圧が０．２ＭＰａ〜０．５ＭＰａ、注入水量は一分間あたり２０リットルとした。水位観測井と上段側排水用横孔との水平距離は１．２ｍである。圧力水注入開始から２０分で、水位観測井から水が噴出したので、排水用横孔と水みちが連通したものと判断した。表１は、上段部排水用横孔からの圧力水注入終了後における水位観測井の水位観測結果である。水位観測後１時間で作業開始前の水位（計測水位高３．１０ｍ）から、圧力水注入後における水位（計測水位高６．７１ｍ）まで大幅に低下（３．６１ｍの水位低下）させることができた。圧力水注入後、６月５日までは上段側排水用横孔（Ｂ−２群）のみの水位低下を評価するため、水位観測井の水位計測のみを行った。この期間内における水位観測井の水位は図８に示すように、６．８７ｍ〜６．８９ｍであり、非常に安定した状態を維持していた。
【表１】
2009002089.tif 000003
【００２６】
６月６日に下段側排水用横孔（Ｂ−１）のボーリング作業を行った。作業開始前における水位観測井の水位は６．８８ｍであった。下段側排水用横孔の抗口から水位観測井までの水平距離は３３．８ｍである。下段側排水用横孔（Ｂ−１群）のボーリング作業もケーシングパイプはφ８５ｍｍのものを用い、ケーシングパイプの建て込み長さは３２ｍとした。ケーシングパイプの前方部分を５ｍにわたってφ６６ｍｍのビットにより掘削を行った。掘削作業後における水位観測井の水位は６．８８ｍであった。
【００２７】
翌日の６月７日に下段側排水用横孔（Ｂ−１群）における圧力水の注入作業を行った。作業開始前における水位観測井の水位は、６．９７ｍであった。前日に比べ若干ではあるが水位の低下（０．０９ｍ）が確認された。この水位低下は通常ボーリングで形成した下段側排水用横孔（Ｂ−１群）による排水の影響と考えられる。圧力水の注入は、パッカーの前方部分の５ｍの区間で行った。圧力水の注入条件は、注入圧が０．２ＭＰａ〜１．０ＭＰａ、注入水量は一分間あたり１０〜２０リットルとした。圧力水注入開始から３０分で、水位観測井から水が噴出したので、下段側排水用横孔（Ｂ−１群）と水みちが連通したものと判断した。表２は、下段部排水用横孔（Ｂ−１群）からの圧力水注入終了後における水位観測井の水位観測結果である。水位観測後３時間の時点で作業開始前に水位に対して、圧力水注入後における水位を８．９３ｍ低下させることができた。
【表２】
2009002089.tif 000004
【００２８】
また、６月８日から６月１７日にかけての水位観測井の観測結果を見る（図８）と、単に下段側排水用横孔（Ｂ−１群）を掘削しただけの状態（６月７日）の後に比べて１０．６ｍ程度水位が低下した状態で安定していることが分かる。
以上、本実施例で説明したように、排水用横孔を掘削した後、排水用横孔内部から圧力水を一定時間注入することにより、排水用横孔と地下水脈である水みち６０とが連通し、確実に地下水をすべり領域の外部に排出することが可能になることが明らかになった。
【００２９】
以上の実施形態１、実施形態２、実施例に基づいてそれぞれ説明したように、地すべり対策における排水用横孔４０において、排水用横孔４０の内部から排水用横孔４０の周辺に対して圧力水を所定時間にわたって注入させることにより、地山に存在する地下水脈である水みち６０と排水用横孔４０とを確実に連通させることができる。これにより、通常の排水用横孔ボーリング工の施工では水位が下がらない地盤であっても確実に地下水を排除してすべり領域の外部に排出することができるため、地すべりを防止することができるのである。
【００３０】
また、本発明において用いられる圧力水の注入圧は、０．１ＭＰａ〜１ＭＰａであり、掘削時等において用いられる圧力水の注入圧力に比べ大きい圧力であるが、地盤を破壊するほどの高圧ではない。本発明は掘削時に用いられるウォータジェットに比べて低圧な圧力水を長時間注入させることにより地すべり区域内における地山の土粒子の結合の破壊を最小限におさえながらも、地下水脈である水みち６０と排水用横孔４０とを連通させている。したがって圧力水の注入により地すべり区域内の地山の強度が低下し、地山を不安定にさせることがないため好都合である。また、従来のボーリング機材をそのまま本願発明にかかる排水工法に適用することができるので、低コストでの施工が可能になる。
【００３１】
地すべり対策における排水用横孔の施工方法は以上に説明した実施形態に限定されるものではない。例えば、掘削すべき排水用横孔４０の総延長が短い場合（地すべり区域の地山表面と地すべり面８０との距離が少ない場合）には、排水用横孔４０の掘削および排水用横孔保護部材であるケーシングパイプ５０または止水部材であるパッカー５２の配設、および圧力水の注入による排水用横孔４０と水みち６０との連通作業を一回で完了させることができる場合もあるのはもちろんである。
【００３２】
また、図７においては排水用横孔４０を２段階の高さ位置に配設する構成としているが、必要に応じて３段階以上の高さ位置に排水用横孔４０を配設することももちろん可能である。このように、排水用横孔４０を高さ方向に複数段配設することにより、より効果的に斜面内の地下水位の低下がなされるため、更に斜面を安定化させることができ好都合である。
【００３３】
また、他の実施形態として、図９、図１０に示すような形態を採用することもできる。図９においては、排水用横孔４０の切羽の手前側部分にロッド５４を用いてパッカー５２を配置し、ロッド５４を介してパッカー５２と排水用横孔４０の切羽部分との間で区切られた区間（注水区間）で圧力水を所定時間にわたって注入する実施形態を示している。ロッド５４は中空部材により形成されていて、パッカー５２を貫通しているので、ロッド５４の一端部側から圧力水を供給することによりパッカー５２と排水用横孔４０の切羽部分との間に圧力水を注入させることができる。
一方、図１０においては、排水用横孔４０の中途部分にロッド５４を用いて２つのパッカー５２，５２を所要距離離間させた状態で配設し、パッカー５２，５２によって区切られた区間（注水区間）においてロッド５４を介して排水用横孔４０から圧力水を所定時間にわたって注入させる形態としても良い。図１０に示す形態におけるロッド５４もまた、中空部材により形成されているが、一方の端部は排水用横孔４０の切羽側のパッカー５２により閉塞されていて、パッカー５２，５２間の外周面にはストレーナ部分が形成されているので、パッカー５２，５２間で圧力水を注入させることができる。
これらの実施形態を採用することにより、排水用横孔４０の掘削を先行させておくことができる。
【００３４】
また、以上の実施形態においては、傾斜面における排水用横孔の施工方法について説明しているが、本発明は傾斜面における排水用横孔の施工の他にも、集水井やトンネル内における排水用横孔の施工にも適用することができる。この場合、特許請求の範囲における地山の地表面とは、集水井の内壁面やトンネル内の切羽部分をも含む概念であることはいうまでもない。
【図面の簡単な説明】
【００３５】
【図１】実施形態１における排水用横孔の施工範囲の平面図および断面図である。
【図２】排水用横孔の掘削状況を示す説明断面図である。
【図３】排水用横孔保護部材の配設状態を示す説明断面図である。
【図４】圧力水注入装置により排水用横孔と地下水脈とを連通させている状態示す説明断面図である。
【図５】排水ドレンの配設が完了した状態を示す説明断面図である。
【図６】実施例における排水用横孔の配設状態を示す説明平面図である。
【図７】実施例における排水用横孔の状態を示す説明断面図である。
【図８】実施例の施工中における水位観測井の水位計測結果である。
【図９】排水用横孔にパッカーを用いた実施形態の一例を示す説明平面図である。
【図１０】排水用横孔にパッカーを用いた実施形態の一例を示す説明平面図である。
【符号の説明】
【００３６】
１０  水位観測井
２０  ボーリングマシン
２２  圧力水注入装置
３０  台座
４０  排水用横孔
５０  ケーシングパイプ
５２  パッカー（止水部材）
５４  ロッド
６０  地下水脈（水みち）
７０  排水ドレン
７２  集水枡
８０  地すべり面
９０  基盤
Ｂ−１  下段部排水用横孔群
Ｂ−２  上段部排水用横孔群
【図１】
2009002089.tif 000005
【図２】
2009002089.tif 000006
【図３】
2009002089.tif 000007
【図４】
2009002089.tif 000008
【図５】
2009002089.tif 000009
【図８】
2009002089.tif 000010
【図９】
2009002089.tif 000011
【図１０】
2009002089.tif 000012
【図６】
2009002089.tif 000013
【図７】
2009002089.tif 000014